(57)【特許請求の範囲】
【請求項１】
吸入口を有するレンジフードカバーに取付けて吸入空気による汚れを防止するためのフィルタ構造体であって、
吸入空気を濾過するためのフィルタと、
前記フィルタが前記レンジフードカバーの側に取付けられ、矩形形状でかつその内方に開口部を有する平坦部と、前記平坦部の４辺から各々折曲げ自在に接続される矩形形状のフラップ部とからなる枠体とを備え、
前記フィルタは、前記フラップの各々の外方辺を各一辺の一部とする矩形形状を少なくとも包含する矩形形状を有する、フィルタ構造体。
【発明の詳細な説明】
【０００１】
【発明の属する技術分野】
この発明はフィルタ構造体に関し、特に換気扇やレンジフード等の被取付体に取付けられて吸入空気による汚れを防止するためのフィルタ構造体に関するものである。
【０００２】
【従来の技術】
図８は、従来の換気扇カバーの取付け状態を示す斜視図である。
図を参照して、換気扇カバー１３はアルミニウム箔をプレス成形したものに不織布等のフィルタを張り付けたものから構成されている。具体的には、外方に突出した形状を有し、その内面にフィルタ５１が張り付けられている膨出部１４と、膨出部１４の外周に接続され、外方に延びる平坦面からなるフランジ部１５とから構成されている。尚フランジ部１５の外周全域は、カール曲げによる縁巻１９が形成されている。
【０００３】
一方、換気扇枠２１は一般的に直方体形状の外周面を有しており、換気扇カバー１３が取付けられる取付面２３は、その内方に換気扇の吸入口（図示せず）が形成された四角形状の平坦面を有している。換気扇カバー１３を換気扇枠２１に取付ける際には、換気扇枠２１に取付けられた取付金具２２の先端を換気扇カバー１３のフランジ部１５の両側に形成された取付穴１８に係合させることによって、フランジ部１５を換気扇枠２１の取付面２３に押し付けるようにして取付ける。
【０００４】
このように換気扇カバー１３を換気扇枠２１に取付けることによって、換気扇の作動時には、吸入空気は換気扇カバー１３のフィルタ５１を介して流入する。これによって、流入空気に含まれる油分等の汚れがフィルタ５１によって濾過され、換気扇枠２１の外面の汚れを防止することができる。
【０００５】
【発明が解決しようとする課題】
上記のような従来の換気扇カバーでは、換気扇自体の汚れを防止するという観点では不十分な構造であった。
図９は、図８の”Ｘ”部分の拡大図である。
図を参照して、換気扇カバー１３のフランジ部１５の外縁形状は換気扇枠２１の取付面２３の形状に完全に合致していないため、換気扇カバー１３を換気扇枠２１に取付けた場合であっても、斜線部で示す部分の取付面２３が露出した状態となる。この状態で換気扇を使用すると、汚れた吸入空気が換気扇カバー１３に集まってくることから、換気扇枠２１のこの斜線部に汚れが付着してしまうことになる。
【０００６】
また、この斜線部の部分をより小さくしようとして、換気扇カバー１３の外方寸法を図１０に示すように換気扇枠２１の取付面２３の外方寸法に合わせるように製造したものとする。この場合であっても、フランジ部１５の外周全域に縁巻１９を形成する時には、フランジ部１５のコーナ部は丸みを帯びざるを得ない。従って、一般にコーナが角張った換気扇枠２１の取付面２３の形状に対しては、僅かであるが斜線部の部分が露出されることになる。従って、図１０のような換気扇カバー１３を準備したとしても、取付面２３の角の部分には依然として汚れが付着することになる。
【０００７】
図１１は、図８のＸＩ−ＸＩから見た図である。
図を参照して、換気扇カバー１３の縁巻１９はフランジ部１５の端部をカーリング加工するため、全周が同一平面に密接するような整列された状態に形成することが困難なものである。従って図に示されているように、縁巻１９は若干波打つように形成されることもあり、この場合換気扇カバー１３を換気扇枠２１に取付けた場合には、取付面２３と縁巻１９との間に隙間５２が形成される。従って、換気扇を作動すると、隙間５２を通して汚れた吸入空気が流入するため、隙間５２が存在する取付面２３の部分に汚れが付着し易くなってしまう。
【０００８】
このように、換気扇カバー１３の外周に縁巻１９を安全のため形成する場合には、この縁巻１９の構造によって、換気扇枠２１の取付面２３の汚れを完全に防止できないという問題があった。
この発明は上記のような課題を解決するためになされたもので、換気扇カバー等のフィルタ構造体であって、被取付体に取付けた際に、被取付体に対する汚れの付着をより効果的に防止することができるフィルタ構造体を提供することを目的とする。
【０００９】
【課題を解決するための手段】
上記の目的を達成するために、請求項１記載の発明は、吸入口を有するレンジフードカバーに取付けて吸入空気による汚れを防止するためのフィルタ構造体であって、吸入空気を濾過するためのフィルタと、フィルタがレンジフードカバーの側に取付けられ、矩形形状でかつその内方に開口部を有する平坦部と、平坦部の４辺から各々折曲げ自在に接続される矩形形状のフラップ部とからなる枠体とを備え、フィルタはフラップの各々の外方辺を各一辺の一部とする矩形形状を少なくとも包含する矩形形状を有するものである。
【００１０】
このように構成すると、枠体の取付面とレンジフードカバーとの間に生じ得る隙間はフィルタによってシールされる。又、各フラップを折曲げてフィルタ構造体を立体的に使用したとき、隣接するフラップによるスペースにもフィルタが位置する。
【００１３】
【発明の効果】
以上説明したように、枠体の取付面とレンジフードカバーとの間に生じ得る隙間はフィルタによってシールされるので、隙間からの吸入空気による隙間に沿った汚れの付着が防止される。又、各フラップを折曲げてフィルタ構造体を立体的に使用したときにおいても、フィルタ機能を損なうことなく使用することができる。
【００１５】
【発明の実施の形態】
図１は、この発明の第１の実施の形態によるフィルタ構造体の取付状態を示した斜視図であり、図２は、図１のＩＩ−ＩＩラインの断面図である。
これらの図を参照して、フィルタ構造体である換気扇カバー１３は基本的にはアルミニウム箔をプレス成形によって形成された枠体１２と、枠体１２の膨出部１４に取付けられる不織布からなる第１フィルタ１６と、枠体１２のフランジ部１５に取付けられる第２フィルタ１７とから構成されている。膨出部１４、フランジ部１５及び第１フィルタ１６の構造は、従来例で示した図８のものと同一であるが、この実施の形態においては、フランジ部１５の換気扇枠２１の面に第１フィルタと同一材料よりなる第２フィルタ１７が取付けられている点が異なっている。
【００１６】
即ち、第２フィルタ１７は、その外方寸法が、換気扇枠２１の被取付面２３の外方寸法に合致している四角リング形状のシート形状を有している。図２で示されているように、被取付面２３の端部から換気扇カバー１３の内方に向かう所定範囲において、第２フィルタ１７は枠体１２の取付面を構成する縁巻１９及びフランジ部１５に取付けられている。尚、第２フィルタ１７の取付は溶着によって取付けてもよく、また接着剤等を用いて取付けてもよい。このように第２フィルタ１７を縁巻１９及びフランジ部１５に取付けることによって、換気扇カバー１３を換気扇枠２１に取付けると、換気扇枠２１の被取付面２３は全面換気扇カバー１３によって覆われることになる。そして縁巻１９の形成時の歪みによる被取付面２３との隙間には第２フィルタ１７が介在していることになるため、この隙間部分からの空気の流入が防止される。従って、換気扇枠２１の被取付面２３の全面において、換気扇作動時における汚れの付着を防止することができる。
【００１７】
図３は、この発明の第２の実施の形態によるフィルタ構造体を取付けた状態の斜視図であり、図４は、図３のＩＶ−ＩＶラインの断面図である。
これらの図を参照して、この実施の形態においては、先の実施の形態のものとは異なり、フランジ部１５の換気扇枠２１側の面に取付けられる第２フィルタ１７は、換気扇枠２１の被取付面２３を全面に覆うものではない。即ち、図４に示されているように、第２フィルタ１７は縁巻１９の換気扇枠２１側の頂部からその内方に向かう所定範囲において縁巻１９及びフランジ部１５に取付けられるものである。
【００１８】
これによって、縁巻１９と換気扇枠２１の被取付面２３との間には、第２フィルタ１７が介在することになるため、縁巻１９の歪みによる被取付面２３との隙間から空気の流入が防止される。従って、換気扇枠２１の被取付面２３の一部は従来例のように依然として露出しているものの、露出した被取付面２３に付着する汚れを減少させることができる。
【００１９】
尚、図２及び図４の実施の形態の各々において示されているように、縁巻１９の形成中心がフランジ部１５の形成面に整列するように縁巻１９が形成されているが、第２フィルタ１７のシール効果をより高めるためには、図５に示すように縁巻１９の形成中心をフランジ部１５の形成面に対して外方側に偏心するようにすればより効果的である。即ち、このように縁巻１９を形成すると、第２フィルタ１７の全面がフランジ部１５の面と被取付面２３との面によって取付時に押圧された状態となるため、縁巻１９と被取付面２３との隙間から流入しようとする空気をより確実に阻止することができる。
【００２０】
図６は、この発明の第３の実施の形態によるフィルタ構造体の取付状態の一例を示した図である。
図を参照して、この実施の形態においては、レンジフードカバーをフィルタ構造体としている。レンジフードカバー４１は、基本的にはアルミニウム箔のプレス成形によって形成される枠体１２と、これに取付けられるフィルタ４６とから構成される。具体的には枠体１２の平坦部４２はその内部に３つの第１開口４４が形成されている矩形形状を有しており、平坦部４２の４辺の各々には折曲げ自在に外方に向かって接続される矩形形状のフラップ部４３ａ〜４３ｄが形成されており、平坦部４２とフラップ部４３ａ〜４３ｄよりなる枠体１２の外周には全周縁巻４７が形成されている。尚フラップ部４３ａ〜４３ｄの各々には複数の第２開口４５が形成されている。
【００２１】
枠体１２に取付けられるフィルタ４６は矩形形状を有しており、その外方寸法は、フラップ部４３ａ〜４３ｄの各々の外方辺５０を各一辺の一部とする矩形形状を包含する形状となっている。従って、フラップ部４３ａ〜４３ｄの各々の隣接する短辺５３、５４によって形成されるスペース４９にもフィルタ４６の一部が位置することになる。
【００２２】
この状態でレンジフード３１の被取付面３２に取付けると、平坦部４２の第１開口４４に形成されたフィルタ４６は吸入空気を濾過し、枠体１２の外方にまで延びるフィルタ４６は、対応する被取付面３２の面と縁巻４７との間の隙間から汚れた空気が流入することを防止して、被取付面３２の汚れの付着を減少させる。
【００２３】
図７は、この発明の第３の実施の形態によるフィルタ構造体の取付状態の他の例を示す斜視図である。
この取付け状態においては、被取付体であるレンジフード３１の構造が図６で示したものと異なっている。即ち、レンジフード３１の被取付面３２に形成されている吸入口３３の周囲に、複数の曲げ加工された棒体よりなるガード３４が取付けられている点である。従って、レンジフードカバー４１はガード３４の構造によって図６で示したような広げた状態で被取付面３２に取付けることができない。従って、図７のようにフラップ部４３ａ〜４３ｄの各々を平坦部４２に対して上方に折曲げた状態で取付けることになる。この状態においては、フラップ部４３ａ〜４３ｄの各々に形成された第２開口４５から露出するフィルタ４６も吸入空気を濾過する。そして、図７に示されているように、折曲げられた状態でのフラップ部４３ａ〜４３ｄの各々の隣接する短辺５３、５４によって形成されるコーナ部４８においても、フィルタ４６が存在することになる。従って、この取付け状態においてもコーナ部４８から汚れた空気が流入することが阻止され、フィルタ効果を保持しつつその部分からの被取付面３２に対する汚れの付着を防止することができる。
【００２４】
尚、上記の各実施の形態では、枠体としてアルミニウム箔をプレス加工したものを用いており、この端縁部には安全のための縁巻が形成されているが、この縁巻はこの発明にとっては必ずしも必要なものではない。そして、枠体としてこのアルミニウム箔に代えて縁巻が形成されない合成樹脂製のものやアルミニウム箔を被覆した紙製のものを用いても良い。
【００２５】
また、上記の第１の実施の形態及び第２の実施の形態においては、第１フィルタ１６と第２フィルタ１７とは同一材料のフィルタを用いているが、第２フィルタ１７は第１フィルタ１６と目的が異なることから、第１フィルタとは異なった材料のフィルタ材料を用いてもよい。
更に、上記の第１の実施の形態及び第２の実施の形態においては、第１フィルタ１６及び第２フィルタ１７は別体としているが、第３の実施の形態のように第１フィルタ１６と第２フィルタ１７とを１枚のフィルタによって構成してもよい。
【図面の簡単な説明】
【図１】この発明の第１の実施の形態によるフィルタ構造体の取付状態を示した斜視図である。
【図２】図１のＩＩ−ＩＩラインの断面図である。
【図３】この発明の第２の実施の形態によるフィルタ構造体の取付状態を示した斜視図である。
【図４】図３のＩＶ−ＩＶラインの断面図である。
【図５】図３のＩＶ−ＩＶラインに対応した変形例としての断面図である。
【図６】この発明の第３の実施の形態によるフィルタ構造体の取付状態の１例を示した斜視図である。
【図７】この発明の第３の実施の形態によるフィルタ構造体の取付状態の他の例を示した斜視図である。
【図８】従来の換気扇カバーの取付状態を示した図である。
【図９】図８の”Ｘ”部分の拡大図である。
【図１０】図９の図に対応した変形例を示した図である。
【図１１】図８のＸＩ−ＸＩラインから見た図である。
【符号の説明】
１２・・・枠体
１３・・・換気扇カバー
１６・・・第１フィルタ
１７・・・第２フィルタ
１９・・・縁巻
２３、３２・・・被取付面
４１・・・レンジフードカバー
４２・・・平坦部
４３・・・フラップ部
４４・・・第１開口
４６・・・フィルタ
４７・・・縁巻
５０・・・外方辺
尚、各図中同一符号は同一又は相当部分を示す。
【図１】
0004266428.tif 000002
【図２】
0004266428.tif 000003
【図３】
0004266428.tif 000004
【図４】
0004266428.tif 000005
【図５】
0004266428.tif 000006
【図６】
0004266428.tif 000007
【図７】
0004266428.tif 000008
【図８】
0004266428.tif 000009
【図９】
0004266428.tif 000010
【図１０】
0004266428.tif 000011
【図１１】
0004266428.tif 000012